(57)【要約】  ヒートポンプシステム用外部蒸発器（５０）に防氷処理する為のシステム（１０）であって、ヒートポンプシステムは、少なくとも一つの圧縮機（１２）、少なくとも一つの内部凝縮器（１６）、少なくとも一つの外部蒸発器（５０）、少なくとも一つの液体分離器（５２）、冷却流体用ダクトシステムを備え、この防氷処理する為のシステム（１０）は、入力部（１４）及び出力部（２８）内でヒートポンプシステムに接続され、冷却流体を運ぶように適合された二次冷凍循環路であって、熱伝達流体を貯蔵する為のタンク（２０）、熱伝達流体に浸され、冷却流体を冷却することによって熱伝達流体に熱を伝達するように適合された第１熱交換器（２２）を備える、二次冷凍循環路と、入力部（３０）および出力部（５２）内でヒートポンプシステムに接続され、冷却流体を運ぶように適合されたバイパス冷凍循環路であって、タンク（２０）を備え、熱伝達流体に浸され、冷却流体を加熱することによって熱伝達流体から熱を吸収するように適合された第２熱交換器（２４）を備える、バイパス冷凍循環路と、入力部（１４，４４）および出力部（４８）内でヒートポンプシステムに接続され、冷却流体を運ぶように適合された防氷処理循環路と、を備える。【選択図】  図１
2019510956.tif 000002
【特許請求の範囲】
【請求項１】
ヒートポンプシステム用外部蒸発器（５０）に防氷処理する為のシステム（１０）であって、前記ヒートポンプシステムは、少なくとも一つの圧縮機（１２）、少なくとも一つの内部凝縮器（１６）、少なくとも一つの外部蒸発器（５０）、少なくとも一つの液体分離器（５２）、冷却流体用ダクトシステムを備え、この防氷処理する為のシステム（１０）は、
入力部（１４）及び出力部（２８）内で前記ヒートポンプシステムに接続され、冷却流体を運ぶように適合された二次冷凍循環路であって、熱伝達流体を貯蔵する為のタンク（２０）、前記熱伝達流体に浸され、前記冷却流体を冷却することによって前記熱伝達流体に熱を伝達するように適合された第１熱交換器（２２）を備える、二次冷凍循環路と、
入力部（３０）および出力部（５２）内で前記ヒートポンプシステムに接続され、冷却流体を運ぶように適合されたバイパス冷凍循環路であって、前記タンク（２０）を備え、前記熱伝達流体に浸され、前記冷却流体を加熱することによって前記熱伝達流体から熱を吸収するように適合された第２熱交換器（２４）を備える、バイパス冷凍循環路と、
入力部（１４，４４）および出力部（４８）内で前記ヒートポンプシステムに接続され、冷却流体を運ぶように適合された防氷処理循環路と、
を備える、システム。
【請求項２】
前記二次冷凍循環路および／または前記バイパス冷凍循環路および／または前記防氷処理循環路は、二方向二位置型開放流量制御バルブ８１８，３６，４６）を備えることを特徴とする、請求項１に記載のヒートポンプシステム用外部蒸発器（５０）に防氷処理する為のシステム（１０）。
【請求項３】
前記バイパス冷凍循環路は、スロットルバルブ（３８）を備えることを特徴とする、請求項１または２に記載のヒートポンプシステム用外部蒸発器（５０）に防氷処理する為のシステム（１０）。
【請求項４】
前記バイパス循環路は、少なくとも一つの圧力トランスデューサを備え、前記圧力トランスデューサは、前記第２熱交換器（２４）の下流側に配置されることを特徴とする、請求項１〜３のいずれか一項に記載のヒートポンプシステム用外部蒸発器（５０）に防氷処理する為のシステム（１０）。
【請求項５】
前記バイパス冷凍循環回路は、少なくとも一つの温度プローブ（４２）を備え、前記少なくとも一つの温度プローブ（４２）は、前記第２熱交換器（２４）の下流側に配置されることを特徴とする、請求項１〜４のいずれか一項に記載のヒートポンプシステム用外部蒸発器（５０）に防氷処理する為のシステム（１０）。
【請求項６】
前記システムは、前記第１熱交換器（２２）及び第２熱交換器（２４）のうちの少なくとも一つと前記液体分離器（５２）との間に重力システム（５４）を備えることを特徴とする、請求項１〜５のいずれか一項に記載のヒートポンプシステム用外部蒸発器（５０）に防氷処理する為のシステム（１０）。
【請求項７】
前記タンク（２０）は、液浸サーモスタット（２６）を備えることを特徴とする、請求項１〜６のいずれか一項に記載のヒートポンプシステム用外部蒸発器（５０）に防氷処理する為のシステム（１０）。
【請求項８】
前記タンク（２０）は、循環ポンプ（５６）が取り付けられた循環ダクト（５８）を備えることを特徴とする、請求項１〜７のいずれか一項に記載のヒートポンプシステム用外部蒸発器（５０）に防氷処理する為のシステム（１０）。
【請求項９】
前記タンク（２０）は、少なくとも一対の連結器（６２）を備え、前記少なくとも一対の連結器（６２）は、追加の熱源を接続するように適合されていることを特徴とする、請求項１〜８のいずれか一項に記載のヒートポンプシステム用外部蒸発器（５０）に防氷処理する為のシステム（１０）。
【請求項１０】
少なくとも一つの前記第１熱交換器（２２）および第２熱交換器（２４）は、銅製の螺旋状毛管を備えることを特徴とする、請求項１〜９のいずれか一項に記載のヒートポンプシステム用外部蒸発器（５０）に防氷処理する為のシステム（１０）。
【発明の詳細な説明】
【技術分野】
【０００１】
本発明は、ヒートポンプシステム用外部蒸発器に防氷処理する為のシステムであって、住宅、商業、産業ビルを加熱または冷却するように適合される空気調和システムの領域において、特に有用であり実用されるものに関するが、これに限定されるものではない。
【０００２】
たとえば、空気調和システムのようなヒートポンプシステムがヒータとして動作するように構成される場合、対応する交換器または外部環境に組み込まれるラジエータは、蒸発器として動作するが、そのため、その表面の温度はかなり低い。
【０００３】
外気が冷たいとき、通常、冬期の間、湿度のパーセントの変化に伴い、霜または氷が外部蒸発器の表面に形成し、その結果として、主として、氷の断熱容量および外部蒸発器のフィンの間の隙間の減少のため、熱交換器の効率低下を引き起こす。
【０００４】
本質的に、蒸発器として動作する外部ラジエータまたは交換器は、定期的に凍結解除されない場合、ヒートポンプシステムの動作、効能、効率は、否定的にかなり影響される。
【０００５】
一般的に、外部蒸発器上の霜または氷の層が過剰であるとき、ヒートポンプシステムの出力は低下し、冷却流体の蒸発圧力が修正され、たとえば、
【０００６】
−圧縮機による吸引中、損傷または全体破損を生じさせる液相の冷却ガスの戻り、
【０００７】
−エネルギ損失を生じさせる防氷処理システムの一定かつ突然の始動、
【０００８】
−凝縮器として動作する内部交換器からの暖気の非常に低い出力、
【０００９】
−メーカが提示した性能仕様からの性能係数の低下（最大３０％）、
【００１０】
のような故障が生じ得る。
【００１１】
防氷処理サイクルの目標は、除霜サイクルとしても知られているが、外部蒸発器の表面に形成された、そのような霜または氷を溶かすことであるが、システムの形式、異なる要求に従って、異なる方法で実行可能である。
【００１２】
特に、空気調和の分野で最も使用される防氷処理方法は、単一ヒートポンプで加熱機能および冷却機能の両方を組み合わせる可能性を利用しているので、サイクル反転によって外部蒸発器の周期的防氷処理を用いて着手することを可能にし、これが、圧縮機から生じる（通常はガスの形の）高温の冷却流体を、外部蒸発器に通して防氷処理させることを可能にする。
【００１３】
たとえば、従来の空気調和システムのような従来のヒートポンプシステムにおいて、可逆式バルブ、通常、４方向可逆バルブは、氷の層を溶かす為に、熱の流れる方向を変更するように冷却流体のサイクルを一時的に反転させ、このように、蒸発器として作用することから凝縮器としての作用することに移行する外部ラジエータの役割も反転され、凝縮器として作用することから蒸発器として作用することに移行する内部ラジエータの役割も反転される。
【００１４】
そのため、防氷処理サイクルにおいて、冷却流体は、内部ラジエータ内で蒸発し、外部ラジエータ内で凝縮し、防氷処理に必要な熱エネルギを減少させるように内部及び外部換気が停止し、圧縮機は、外部ラジエータ内のガスを高温で圧縮するので、形成された氷を溶かすことを可能にする。
【００１５】
一般に、従来のヒートポンプシステムは、１時間当たり、２つまたは３つの防氷処理サイクルを有し、これらが、＋４÷５℃の外気温で、存在する湿度の関数として実行される。
【００１６】
明らかに、ヒートポンプが、この防氷処理ステップにあるが、内部ラジエータは、たとえば、加熱されるべきビルの部屋の為に意図される空気を冷却するので、空気を循環内に入れる前に空気を加熱する必要がある（これは、予熱として知られる）。
【００１７】
最大の問題の一つは、防氷処理サイクルのサイクル数を正確に調整することに関する。実際、数少ない防氷処理サイクルは、外部蒸発器の表面に非常に頻繁に氷を形成させることになり、熱交換効率を悪くする一方、頻繁過ぎる防氷処理サイクルは、冷気を空気調和システムに導入することになり、たとえば、頻繁な冷却流体の反転のため、あるいは、繰り返される予熱動作のため、エンドユーザのウェルビーイングにとって否定的な影響とエネルギ浪費を伴う。
【００１８】
また、防氷処理サイクルの持続時間の調整は、蒸発器として動作する外部交換器上に形成された露または氷の完全に溶かすことにとって重要である。実際、防氷処理ステップが短すぎると、外部蒸発器上に存在する露または氷の全てが溶けるわけではなく、残部は、防氷処理ステップが終了して動作が加熱ステップに戻るとき、より厚く、コンパクトに凝固しがちである。
【発明の概要】
【００１９】
本発明は、ヒートポンプシステム用外部蒸発器を防氷処理する為のシステムを案出することによって前述された公知技術の限界を克服することを目標とするが、これは、従来の解決策で得られるものに関して良好な効果および／または同様の効果を低コストで得ることを可能にするので、このシステムの動作中に防氷処理ステップを完全に置き換えることを可能にし、すなわち、加熱システムとしての装置の動作を中断させる周期的防氷処理サイクルの実行を回避することを可能にする。
【００２０】
この目標の範囲内で、本発明は、ヒートポンプシステム用外部蒸発器を防氷処理する為のシステムを考えることを目的とするが、これが、頻繁に生じる冷却流体循環の反転および繰り返される予熱動作を回避することを可能にする。
【００２１】
本発明の他の目的は、ヒートポンプシステム用外部蒸発器を防氷処理する為のシステムを案出することであるが、これは、過剰な応力の状態から装置を免れさせることを可能にし、この方法で、特に長期の耐用年数にわたり、機械的および電気的部品の信頼性を向上させ、その結果、必要な保守作業の数の減少を確実にする。
【００２２】
本発明の他の目的は、加熱モード（ＳＣＯＰ）において、吸収という点で性能を高めることを可能にするヒートポンプシステム用外部蒸発器を防氷処理する為のシステムを考えることである。
【００２３】
本発明の他の目的は、冷却モード（ＳＥＥＲ）において、吸収という点で性能を高めることを可能にするヒートポンプシステム用外部蒸発器を防氷処理する為のシステムを案出することである。
【００２４】
本発明の他の目的は、信頼性が高く、簡単かつ実用的に実施され、低コストのヒートポンプシステム用外部蒸発器を防氷処理する為のシステムを提供することである。
【００２５】
この目標およびこれら及び他の目的は、以下に明らかにされ、ヒートポンプシステム用外部蒸発器を防氷処理する為のシステムによって達成されるが、前記ヒートポンプシステムは、少なくとも一つの圧縮機、少なくとも一つの内部凝縮器、少なくとも一つの外部蒸発器、少なくとも一つの液体分離器、冷却流体用ダクトシステムを備え、前記防氷処理する為のシステムは、
【００２６】
−入力部及び出力部内で前記ヒートポンプシステムに接続され、冷却流体を運ぶように適合された二次冷凍循環路であって、熱伝達流体を貯蔵する為のタンク、前記熱伝達流体に浸され、前記冷却流体を冷却することによって前記熱伝達流体に熱を伝達するように適合された第１熱交換器を備える、二次冷凍循環路と、
【００２７】
−入力部および出力部内で前記ヒートポンプシステムに接続され、冷却流体を運ぶように適合されたバイパス冷凍循環路であって、前記タンクを備え、前記熱伝達流体に浸され、前記冷却流体を加熱することによって前記熱伝達流体から熱を吸収するように適合された第２熱交換器を備える、バイパス冷凍循環路と、
【００２８】
−入力部および出力部内で前記ヒートポンプシステムに接続され、冷却流体を運ぶように適合された防氷処理循環路と、
【００２９】
を備えることを特徴とする。
【図面の簡単な説明】
【００３０】
更なる特徴および利点は、好ましいが排他的でない実施形態に係る本発明に従う、ヒートポンプシステム用外部蒸発器に防氷処理する為のシステムの説明から明らかになるが、これは、図面を参照して非限定的実施例によって例示される。
【図１】図１は、本発明に従うヒートポンプシステム用外部蒸発器に防氷処理する為のシステムの実施形態のブロック図である。
【詳細な説明】
【００３１】
図を参照すると、本発明に従うヒートポンプシステム用外部蒸発器に防氷処理する為のシステムは、そのようなシステムが従来のヒートポンプシステム（例えば、エアコンシステム）に直接組み込まれる場合において説明される。
【００３２】
従来のヒートポンプシステムは、実質的に、少なくとも一つの圧縮機１２、少なくとも一つの内部交換器１６、少なくとも一つの外部交換機５０，少なくとも一つの液体分離器５２、コンポーネント間を相互接続する為の（すなわち、気体又は液体状態の冷却流体を伝達する為に）ダクトシステムを備えるが、少なくとも一つの内部交換器１６は、凝縮器として動作し、以下、内部ユニットまたは内部凝縮器と呼ばれ、少なくとも一つの外部交換器５０は、蒸発器として動作し、以下、外部ユニットまたは外部蒸発器と呼ばれる。
【００３３】
ヒートポンプシステムの圧縮機１２は、気体形式の冷却流体を備え、それを循環路に入れ、その気体状態の循環を高圧及び高温で作動させる。
【００３４】
圧縮機１２の後に配置された三方向またはＹ接続部１４（入口地点）によって、冷却ガスの第１部分は二次冷凍循環路に向け直され、入力部（接続部１４）および出力部（接続部２８）内でヒートポンプシステムに接続され、同時に、冷却ガスの第２部分は、加熱されるべきビルの部屋に組み込まれたヒートポンプシステムの標準的一次冷凍循環路に沿って、特に、凝縮器として動作する一つ又は複数の内部ユニット１６に向かって進む。
【００３５】
前述したように二次冷凍循環路に向け直される冷却ガスの第１部分は、最初に二方向、二位置開放流体制御バルブ、たとえば、オン／オフ形式のバルブに向かって進む。
【００３６】
第１開放流量制御バルブ１８の動作（すなわち、開閉）は、たとえば、外気温及び内気温、冷却ガスの流入及び流出、蒸発器として動作する一つ又は複数の外部ユニット５０と接触する湿度、タンク２０内側の熱伝達流体の温度の数値に基づき制御され、そのような数値は、適合されたプローブまたはセンサによって測定される。さらに、第１開放流量制御バルブ１８の動作は、その状況に必要な関数として制御される。
【００３７】
たとえば、熱伝達流体の温度の値を測定し、結果として起こる第１開放流体制御バルブ１８の後の開閉のため、タンク２０は、液浸サーモスタット２６、好ましくは０〜８０℃の温度調整を備えたものを備える。
【００３８】
第１開放流体制御バルブ１８を過ぎた後、気相の冷却液は、タンク２０に含まれる第１熱交換器２２に入るが、第１熱交換器２２は、銅製の螺旋状毛管を備えるのが好ましい。
【００３９】
第１熱交換器２２によって、冷却ガスの熱は、タンク２０に貯蔵されている熱伝達流体（例えば、水）に伝達されるので、これは、凝縮器として作用し、第１熱交換器２２は、前述した熱伝達流体に、好ましくは全体的に浸される。
【００４０】
第１交換機２２からの出力部において、即ち、熱の伝達の結果および冷却剤による結果として、冷却液は、潜熱によってガスから液体に状態変化するので、媒体温度および平均圧力において、液相において、冷却液は、本質的にサブクール液体である。
【００４１】
冷却液は、その後、三方向またはＴ接続部２８（流出地点）に運ばれ、内部凝縮器１６の後に配置されるが、これが、標準的一次冷凍循環路の中に冷却液の再び挿入させることを可能にする。
【００４２】
外部機器の温度および湿度の比と、外部蒸発器５０及び内部凝縮器１６からの入力又は出力における冷却ガス分配及び冷却液の戻りに基づいて、または、所定時間に基づいて、本発明に従うヒートポンプシステム用外部蒸発器に防氷処理する為のシステム１０は、初期の霜または氷の形成が始まると直ぐにそれを停止させる為に、それ自身を作動させる。
【００４３】
上記作動条件が満たされると、第２の二方向二位置開放流体制御場バルブ３４、たとえば、オン／オフ型のものが閉鎖する。第２の開放制御バルブ３４は、好ましくは電子的な第１のスロットルバルブ３２の後に配置される。これらのバルブ３２，３４の両方とも、接続部２８又は３０と接続部４８との間に配置される。
【００４４】
内部凝縮器１６の後に配置された三方向又はＹ接続部３０（入口地点）によって、蒸発器又は外部ユニット５０に向けられた冷却液は、入力部（接続部３０）及び出力部（分離器５２）においてヒートポンプシステムに接続されたバイパス冷凍循環路に向け直される。
【００４５】
向け直された冷却液は、第３二方向二位置型開放流量制御バルブ３６（たとえば、オン／オフ型のもの）の方向に進むが、これは、開放の際、好ましくは電子的な第２スロットルバルブ３８に冷却液を送り、冷却液の膨張及び正確な過冷却を扱うが、圧力及び温度の比を作成することによって膨張され、これらは、少なくとも一つの圧力トランスデューサ４０及び少なくとも一つの温度プローブ４２によって、好ましくは接触して、それぞれが検出される。
【００４６】
膨張された冷却液は、その後、第２熱交換器２４に入るが、第２熱交換器２４は、銅製の螺旋状毛管を備え、これによって、熱伝達流体の熱が冷却剤に伝達され、熱伝達流体は、正の温度で蒸発するが、第２熱交換器２４は、前述した熱伝達流体に、好ましくは全体的に沈められる。
【００４７】
熱伝達流体は第１熱交換器２２によって以前に加熱されたことから、この地点において、タンク２０に貯蔵された熱伝達流体は高温であることに留意されたい。
【００４８】
熱交換器２４からの出力部、即ち、熱の吸収後、結果として冷却剤による加熱の後、冷却剤は、潜熱によって液相から気相に変化するので、冷却剤は、気相である。
【００４９】
圧力トランスデューサ４０及び温度プローブ４２は、両方とも、第２熱交換器２４の下流側に配置され、組み込まれていることに留意されたい。
【００５０】
冷却ガスは、その後、液体分離器５２（流出地点）に運ばれ、液体分離器５２は、正常かつ正確な吹込みを確実にし、その結果、圧縮機１２への液体のスラッギングの発生を防止する。
【００５１】
凝縮器即ち内部ユニット１６から始まる冷却液はバイパス冷凍循環路の内側で蒸発することから、この地点において、蒸発器即ち外部ユニット５０は、完全に空なので、霜又は氷の形成から外部蒸発器５０を洗浄することが可能であり、決定的な相を完全に抑制する。
【００５２】
接続部１４及び第１開放流量制御バルブ１８の間に配置された三方向又はＹ接続部４４（入口地点）によって、その閉鎖と共に、入力部（接続部１４及びその後の接続部４４）及び出力部（接続部４８）において、ヒートポンプシステムに接続される冷却ガスの第１部分は、防氷処理循環路に向け直される。
【００５３】
向け直されたガスは、第４開放流量制御バルブ４６に向かって進むが、このバルブ４６は、たとえば、電子的に開放される、オン／オフ型のバルブである。
【００５４】
開放されると、第４開放流量制御バルブ４６は、蒸発器５０に向かう冷却ガスの経路を可能にするが、蒸発器５０は、この時点で未使用であるが、外部ユニット毎に複数の蒸発器が存在する場合、蒸発器が冷却ガスを送る所定時間またはアルゴリズムに従って防氷処理する。
【００５５】
冷却ガスを蒸発器５０に挿入することは、三方向Ｙ接続部４８（出口地点）によって起こるが、可能な限り急速である一定流量を有する為に三方向Ｙ接続部４８は第１スロットルバルブ３２の後に配置される。
【００５６】
蒸発器の内側から、防氷処理循環路を通過した冷却ガスは、その熱を放散するので、動作中、抑止および動揺を有することなく、露又は氷の形成を防止し、従来の空気調和システムを安定させる。
【００５７】
蒸発器即ち外部ユニット５０は、最適状態、即ち、その表面に露又は氷が完全に無くなると直ぐに、本発明に従うヒートポンプシステム用外部蒸発器に防氷処理する為のシステム１０及びその動作を行うように復帰する。
【００５８】
本発明に従うヒートポンプシステム用外部蒸発器に防氷処理する為のシステム１０において、４方向変更バルブは、防氷処理循環の為に冷却モードから加熱モードに移ることがないことから、冷却流体の循環を反転させ得ることなく永続的に一定の張力下にある。
【００５９】
好ましい実施形態において、本発明に従うヒートポンプシステム用外部蒸発器に防氷処理する為のシステム１０は、熱交換器２２，２４のうちの少なくとも一つと液体分離器５２との間に重力システム５４を備えるが、これは、たとえば、オイルの均一化に伴う問題を持たず、常に一定の戻りを有するように、一般的に毛管によって設けられる。
【００６０】
本発明に従うヒートポンプシステム用外部蒸発器に防氷処理する為のシステム１０の好ましい実施形態において、熱伝達流体のタンク２０は、循環用ダクト５８を備え、この循環用ダクト５８は、タンク２０の内側の熱の層状化が適切にならないように、循環用ポンプ５６が設けられる。
【００６１】
循環用ダクト５８のタンク２０上の組み込みは、少なくとも一対の結合器６０、好ましくはネジ付きの一対の結合器６０によって生じる。
【００６２】
本発明に従うヒートポンプシステム用外部蒸発器に防氷処理する為のシステム１０の可能な実施形態において、熱伝達流体のタンク２０は、たとえばボイラのような追加の熱源をヒートポンプ機に加えて一体化および／または接続するため、少なくとも一対の結合器６２、好ましくはネジ付きの一対の結合器６２を備えるが、一方は熱分配用結合器で他方は熱回収用結合器と呼ばれる。
【００６３】
本発明に従うヒートポンプシステム用外部蒸発器に防氷処理する為のシステムの異なる実施形態において、そのようなシステムは、ヒートポンプシステム（たとえば従来の調和システム）に外部で接続することができる。そのような場合、本発明に従う防氷処理システムは、実用上、単一エンクロージャ内に組み立てられた予め製造されたキットによって構成される。
【００６４】
実際、本発明は、所定の目標および目的を十分に達成することが分かっている。特に、ヒートポンプシステム用外部蒸発器に防氷処理する為の考えられたシステムは、当該システムの動作中の防氷処理を完全に置き換えること、即ち、加熱モードにおいて当該システムの動作を妨害する防氷処理サイクルの周期的実行を避けることを可能にすることから、知られた技術の質的制限を克服することが可能である。
【００６５】
本発明に従うヒートポンプシステム用外部蒸発器に防氷処理する為のシステムの他の利点は、防氷処理サイクルの周期的実行を避けることによって、その結果として、本質的に冷却流体のサイクルの反転（４方向バルブは決して反転しない）および予熱動作を排除する点にある。
【００６６】
従来の解決策と比べると、本発明に従うヒートポンプシステム用外部蒸発器に防氷処理する為のシステムは、同一レベルの加熱を得るために、特に、内部環境の為のエネルギの連続的な生成で、同一レベルの加熱を得る為に必要なエネルギが少なく、生み出されるエネルギの喪失および流れの中断なく、霜または氷から外部蒸発器の洗浄を可能にする。
【００６７】
さらに、従来の解決策と比較すると、本発明に従うヒートポンプシステム用外部蒸発器に防氷処理する為のシステムは、エネルギ費の著しい削減が、当該システムの生産費の適度の増加で得られることから、経済的に安い。
【００６８】
本発明に従うヒートポンプシステム用外部蒸発器に防氷処理する為のシステムの他の利点は、過剰な応力の状態から装置を免れさせ、この方法で、特に長期の耐用年数にわたり、機械的および電気的部品の信頼性を向上させ、その結果、必要な保守作業の数の減少を確実にする点にある。
【００６９】
本発明に従うヒートポンプシステム用外部蒸発器に防氷処理する為のシステムの他の利点は、加熱モード（ＳＣＯＰ）および冷却モード（ＳＥＥＲ）の両方において、吸収という点で性能を高めることを可能にする点にある。
【００７０】
本発明に従うヒートポンプシステム用外部蒸発器に防氷処理する為のシステムは、住宅、商業または産業ビルを加熱または冷却するように適合された空気調和システムに特に使用されるように案出されてきたが、ヒートポンプ機を備える装置またはシステムにおける、より一般的な使用の為にも使用可能であり、その外部蒸発器は、それば蒸発器として動作するとき、特に加熱モードにおいて、その表面に霜または氷が形成される。
【００７１】
そのため、思いついた本発明は、数多くの修正、変形が可能であり、それらの全ては、添付された請求項の範囲内にある。さらに、全ての詳細は、他の技術的に均等な要素で置換されてもよい。
【００７２】
実際、使用される材料と付随的な形状及び寸法は、要求および現状技術に従って任意的なものである。
【００７３】
結論として、請求項の保護範囲は、例示による記載で示された好ましい実施形態によって又は説明によって限定されるものではなく、むしろ、請求項は、本発明に存在する新規な特許性のある特徴の全てを含むべきであり、当業者によって均等物として考えられる特徴の全てを含む。
【００７４】
本願が優先権を主張するイタリア特許出願第102016000036760 (UA2016A002463)における開示内容は、参考の為に本願に組み込まれる。
【００７５】
任意の請求項に言及される技術的特徴に参照符合が続く場合、これらの参照符合は、請求項の理解を高める目的で含まれるので、そのような参照符合は、そのような参照符合による例示によって識別される各要素の解釈を限定するものではない。
【図１】
2019510956.tif 000003
【国際調査報告】
2019510956.tif 000004
2019510956.tif 000005
2019510956.tif 000006